(57)【要約】【課題】容易に製造することができ、かつ低コストで製造できるボタン構造、およびこれを備えた携帯機器を提供すること。【解決手段】基体２に対して出没可能に設けられた軸部１１１、および頭部１１２を有したボタン部材１１と、このボタン部材１１の頭部１１２外側に螺合されたリング部材１３とを備え、基体２側に固定された案内部１２４に対して、軸方向に移動可能で、かつ、軸部１１１回りの回転が規制された係合部材１４を頭部１１２に形成された凹穴部１１３に固定することで、ボタン部材１１が軸方向に進退動作可能で、かつ、リング部材１３の回転操作時における回転移動が規制される。従って、比較的簡単な加工によりボタン部材１１に凹穴部１１３を形成し、別部材として加工した係合部材１４を取り付けるだけでよいので、製造が容易になるとともに、製造コストを低減することができる。【選択図】  図１
2004288526.tif 000002
【特許請求の範囲】
【請求項１】
基体に対して出没可能に取り付けられた軸部、および当該軸部の前記基体と反対側に設けられた頭部を有したボタン部材と、このボタン部材の頭部外側に螺合され、回転操作により前記軸部の軸方向に沿って進退可能に構成されたリング部材とを備え、
前記基体または前記基体に固定された固定部材には、前記ボタン部材の頭部に向かって突設され、かつ、前記軸部が挿通された案内部が設けられ、
前記ボタン部材の頭部には、前記基体に向かって開口し、かつ、前記案内部を挿通可能な凹穴部が設けられ、
この凹穴部には、前記案内部に対して、前記軸方向に移動可能で、かつ、前記軸部回りの回転が規制された係合部材が固定されていることを特徴とするボタン構造。
【請求項２】
請求項１に記載のボタン構造において、
前記案内部は、前記基体に固定された固定部材に設けられており、
前記固定部材は、前記ボタン部材の軸部が挿通される挿通孔を有し、かつ、前記基体に圧入されていることを特徴とするボタン構造。
【請求項３】
請求項１または請求項２に記載のボタン構造において、
前記案内部は、多角柱状に形成され、前記係合部材は、前記案内部の断面と同一の多角形状に穿設された挿通孔を有する板材から形成されていることを特徴とするボタン構造。
【請求項４】
請求項３に記載のボタン構造において、
前記係合部材は、前記凹穴部の開口周縁に対して、カシメ、溶接、圧入、接着のうち、いずれかの固定手段により、または、複数の固定手段を組み合わせて固定されていることを特徴とするボタン構造。
【請求項５】
請求項３または請求項４に記載のボタン構造において、
前記係合部材の外縁には、前記軸芯と交差する径方向外側に向かって突出し、前記凹穴部の開口周縁に係止される凸状部が形成されていることを特徴とするボタン構造。
【請求項６】
請求項３または請求項４に記載のボタン構造において、
前記係合部材の外縁には、前記軸芯と交差する径方向内側に向かって凹み、前記凹穴部の開口周縁に設けられた係止片に係止される凹状部が形成されていることを特徴とするボタン構造。
【請求項７】
請求項１ないし請求項６のいずれかに記載のボタン構造において、
前記ボタン部材を前記基体から突出する方向に付勢する弾性部材を備えていることを特徴とするボタン構造。
【請求項８】
請求項７に記載のボタン構造において、
前記弾性部材は、前記ボタン部材の凹穴部と、前記基体または前記固定部材との間に収容されていることを特徴とするボタン構造。
【請求項９】
請求項１ないし請求項８のいずれかに記載のボタン構造を備えたことを特徴とする携帯機器。
【発明の詳細な説明】
【０００１】
【発明の属する技術分野】
本発明はボタン構造、およびこれを備えた携帯機器に係り、特に、携帯時計その他の携帯機器に設けられる場合に好適なボタン構造に関する。
【０００２】
【背景技術】
一般に、腕時計や懐中時計などの携帯時計、ストップウォッチ、ダイビングコンピュータなどの各種携帯機器においては、本体の外面に操作ボタンが設けられる場合がある。このような操作ボタンにおいては、通常、本体外面から僅かに突出するようにボタン部材が本体に対して出没可能に取り付けられ、このボタン部材を押圧することによって本体内の接点などが動作するように構成されている。そして、操作ボタンの誤操作を防止するためにボタン部材の押圧動作を規制するロック機構が知られている（例えば、特許文献１参照）。
【０００３】
特許文献１に従来技術として記載されたロック機構付き操作ボタンは、ボタン部材から本体（基体、ケース）内部まで延びる操作軸と、この操作軸を摺動自在に案内する固定部材（案内筒）と、ボタン部材の頭部の周囲に螺合されたリング部材（固定筒）とを備えている。そして、固定部材の端部に設けられた多角形状の鍔部と、この鍔部を収納可能にボタン部材の頭部に設けられた多角形状の凹部とが摺動することで、ボタン部材の回転動作が規制されて、リング部材の回転操作によるボタン部材のロックが実施されるようになっている。
【０００４】
【特許文献１】
特開２００２−１６３９４９号公報  ２−３頁、図１３、１４
【０００５】
【発明が解決しようとする課題】
しかしながら、このような従来の操作ボタンでは、ボタン部材の回転を規制するために、互いに摺動自在に係合される固定部材の鍔部とボタン部材の凹部とを、精度よく加工する必要があり、特に、ボタン部材に多角形状の凹部を切削加工等により形成することは困難なので、製造が煩雑になり、かつ製造コストが増大してしまうという問題がある。
そして、このような問題に対して特許文献１に記載された操作ボタンでは、ボタン部材の操作軸と、この操作軸が摺動可能に挿通された固定部材（案内筒）との間に互いに係合する係合部（被係止面および係止面）を形成することで、ボタン部材の回転を規制できる構成が採用されている（特許文献１の図３〜５参照）。しかし、このような構成では、リング部材を回転操作した際に作用する操作トルクに対して、径寸法が小さい操作軸部分で抵抗しなければならず、ボタン部材や固定部材の必要強度が高くなってしまい、使用できる材質が限られるので、製造コストの増大を招いてしまうという問題点がある。
【０００６】
そこで、本発明の目的は上記問題点に鑑み、容易に製造することができ、かつ低コストで製造できるボタン構造、およびこれを備えた携帯機器を提供することにある。
【０００７】
【課題を解決するための手段】
本発明のボタン構造は、基体に対して出没可能に取り付けられた軸部、および当該軸部の前記基体と反対側に設けられた頭部を有したボタン部材と、このボタン部材の頭部外側に螺合され、回転操作により前記軸部の軸方向に沿って進退可能に構成されたリング部材とを備え、前記基体または前記基体に固定された固定部材には、前記ボタン部材の頭部に向かって突設され、かつ、前記軸部が挿通された案内部が設けられ、前記ボタン部材の頭部には、前記基体に向かって開口し、かつ、前記案内部を挿通可能な凹穴部が設けられ、この凹穴部には、前記案内部に対して、前記軸方向に移動可能で、かつ、前記軸部回りの回転が規制された係合部材が固定されていることを特徴とする。
【０００８】
なお、ここで、係合部材としては、例えば、ボタン部材の頭部に外側から挿入、固定され、凹穴部の内周面に先端を突出したピン等が採用可能であり、この際、ピンの先端を軸方向に沿って案内する案内溝等を案内部に設けることで、ピンおよびピンが固定されたボタン部材の軸部回りの回転が規制されることとなる。
【０００９】
このような本発明によれば、ボタン部材の頭部に穿設された凹穴部に係合部材を固定し、この係合部材が基体側に固定された案内部に対して、軸方向に移動可能で、かつ、軸部回りの回転が規制されているので、押圧操作によりボタン部材が軸方向に進退動作できるとともに、リング部材を回転操作して、ロック位置および非ロック位置間を進退移動させる際に、ボタン部材の回転移動を規制でき、ロック操作を確実に実施できる。従って、ボタン部材の頭部に複雑な加工を施さなくても、旋盤を用いた比較的簡単な切削加工等で凹穴部を形成し、別部材として加工した係合部材を取り付けるだけでよいので、製造が容易になり、加工手間が掛からないことから、製造コストを低減することができる。
また、軸部よりも径方向の寸法が大きい頭部に固定した係合部材と、案内部とでボタン部材の回転を規制するようにしたので、リング部材の回転操作時における操作トルクに対する回転抵抗を大きくすることができる。従って、係合部材や案内部に高い強度の材料を用いる必要がなく、コストの増大を招くことなく製造することができる。また、ボタン部材の回転規制のために高い強度の材料を用いる場合でも、係合部材をボタン部材と別体としたことで、ボタン部材全体を高強度の材料から形成する必要がなく、この点からも製造コストの増大を防止できる。
【００１０】
この際、本発明では、前記案内部は、前記基体に固定された固定部材に設けられており、前記固定部材は、前記ボタン部材の軸部が挿通される挿通孔を有し、かつ、前記基体に圧入されていることが望ましい。
この発明によれば、案内部を固定部材に設けることで、基体に案内部を設ける場合と比較して、案内部を形成するための加工を容易、かつ高精度に実施できるとともに、固定部材を基体に圧入することで、固定部材を確実に固定することができる。すなわち、例えば、挿通孔を有した筒状の素材から固定部材を構成し、切削加工等によって素材の一部に案内部を形成する、あるいは、別体で加工した案内部を溶接等により素材に固定することで、固定部材に案内部を容易、かつ精度よく形成することができる。
【００１１】
さらに、本発明では、前記案内部は、多角柱状に形成され、前記係合部材は、前記案内部の断面と同一の多角形状に穿設された挿通孔を有する板材から形成されていることが望ましい。
この発明によれば、多角柱状の案内部を挿通可能な多角形状の挿通孔が穿設された板材から係合部材を構成することで、例えば、プレス装置による打ち抜き加工等の比較的簡単な加工方法により係合部材を大量に製造することができ、さらに容易、かつ低コストで製造することができる。
【００１２】
この際、本発明では、前記係合部材は、前記凹穴部の開口周縁に対して、カシメ、溶接、圧入、接着のうち、いずれかの固定手段により、または、複数の固定手段を組み合わせて固定されていることが望ましい。
この発明によれば、ボタン部材の凹穴部に対して係合部材を確実に固定できるので、例えば、ボタン部材の押圧操作を繰り返し実施しても、係合部材が容易に外れることなく、耐久性の向上を図ることができる。
【００１３】
さらに、本発明では、前記係合部材の外縁には、前記軸芯と交差する径方向外側に向かって突出し、前記凹穴部の開口周縁に係止される凸状部が形成されていることが望ましい。
【００１４】
また、本発明では、前記係合部材の外縁には、前記軸芯と交差する径方向内側に向かって凹み、前記凹穴部の開口周縁に設けられた係止片に係止される凹状部が形成された構成も採用可能である。
【００１５】
これらの発明によれば、係合部材の凸状部が凹穴部の開口周縁に係止される、あるいは、係合部材の凹状部が凹穴部の開口周縁に設けられた係止片に係止されることで、リング部材の回転操作時において、ボタン部材と案内部との間に作用して、係合部材を回転させようとする力（トルク）に対して、凸状部や凹状部が回転止めとして機能し、係合部材の回転抵抗を高めることができる。従って、リング部材を回転操作し、ロック位置または非ロック位置である螺合終端において、万一、リング部材を締め過ぎた場合でも、係合部材がボタン部材に対して滑ってしまうことがなく、ボタン部材の回転を規制するという機能を果たすことができる。
【００１６】
さらに、本発明では、前記ボタン部材を前記基体から突出する方向に付勢する弾性部材を備えていることが望ましい。
この発明によれば、ボタン部材が弾性部材で付勢されていることにより、ボタン部材を押圧操作し、この押圧を解除した際に、ボタン部材が初期位置に即座に復帰するので、ボタン操作の操作性を向上させることができる。
【００１７】
この際、本発明では、前記弾性部材は、前記ボタン部材の凹穴部と、前記基体または前記固定部材との間に収容されていることが望ましい。
この発明によれば、弾性部材がボタン部材の凹穴部と、基体または固定部材との間に収容されていることにより、リング部材を回転操作しても弾性部材が伸縮変化せず、リング部材の回転操作に必要な力が変化しないので、操作性を向上させることができる。
【００１８】
一方、本発明の携帯機器は、前述したいずれかのボタン構造を備えたことを特徴とする。
このような本発明によれば、前述したボタン構造を用いた携帯機器において、前述した各効果と同様の効果を奏することができる。すなわち、当該携帯機器を容易、かつ低コストで製造することができ、本発明の目的を達成できる。
【００１９】
【発明の実施の形態】
以下、本発明の各実施形態を図面に基づいて説明する。なお、後述する第２実施形態以降では、以下に説明する第１実施形態での構成部品と同じ部品および同様な機能を有する部品には同一符号を付し、説明を簡単にあるいは省略する。
【００２０】
〔第１実施形態〕
以下、本発明の第１実施形態に係るボタン構造、およびこのボタン構造を用いた携帯機器としての腕時計１について、図１ないし図５に基づいて説明する。
図１は、本実施形態のボタン構造を有する操作ボタン１０が設けられた腕時計１の断面図である。図２および図３は、それぞれ操作ボタン１０の分解斜視図である。図４（Ａ），（Ｂ）は、それぞれ操作ボタン１０を構成するボタン部材１１の側面図、および断面図であり、図４（Ｂ）は、図４（Ａ）に矢視線で示す断面図である。図５（Ａ），（Ｂ）は、それぞれ操作ボタン１０を構成する固定部材１２の側面図、および断面図であり、図５（Ｂ）は、図５（Ａ）に矢視線で示す断面図である。
なお、携帯機器としては、腕時計１の他に、懐中時計などの携帯時計、ストップウォッチ、ダイビングコンピュータなどの各種携帯機器が採用可能である。
【００２１】
図１ないし図５において、腕時計１は、基体としてのケース２と、このケース２の上側を覆う風防としてのサファイアガラス３と、ケース２の下側にねじ込み固定された裏蓋４とを備え、これらで腕時計１の外殻が形成されている。また、ケース２の内部には、時刻表示用の指針を駆動するムーブメント５や文字板６、指針の駆動を制御する制御回路基板（不図示）、駆動源としてのボタン電池（不図示）等が配置されている。ケース２は、例えばＳＵＳ製で、略リング状に形成されており、図示しない腕装着用バンドを取り付け可能になっている。そして、ケース２には、その側面を内外方向（図１中、左右方向）に貫通する貫通孔２Ａが穿設されている。この貫通孔２Ａには、ケース２の内外に渡る操作ボタン１０が取り付けられており、この操作ボタン１０を外部から押圧操作することでケース２内部の接点（不図示）が動作し、腕時計１が備える所定の機能（例えば、ストップウォッチ機能、アラーム機能等）を利用できるようになっている。
【００２２】
操作ボタン１０は、ケース２の内外方向に沿って進退自在に設けられたボタン部材１１と、ケース２の貫通孔２Ａに固定された固定部材１２と、ケース２の外側においてボタン部材１１の外周に配置され、回転操作可能に構成されたリング部材１３と、ボタン部材１１に固定され、固定部材１２と係合する係合部材１４とを備えて構成されている。そして、これらの各部材によって操作ボタン１０の誤操作を防止するためのロック機構１０Ａが構成されている。さらに、操作ボタン１０は、ボタン部材１１をケース２から突出する方向に付勢する弾性部材としてのコイルばね１５を備えている。
【００２３】
ボタン部材１１は、貫通孔２Ａに沿って出没可能に設けられた長尺円柱状の軸部１１１と、この軸部１１１の外端側、すなわちケース２と反対側に設けられた頭部１１２とを有して形成されている。頭部１１２は、ケース２側に向かって開口し、軸部１１１の軸芯Ａと同軸の略円筒状に形成されており、軸部１１１の回りに円形の凹穴部１１３が設けられている。そして、凹穴部１１３の開口周縁であるケース２との対向面は、リング部材１３と当接する当接面１１４となっており、頭部１１２の外周面には、リング部材１３と螺合するねじ部１１５が形成されている。また、頭部１１２の外端には、指などでボタン部材１１を押圧するための押圧操作部１１６が設けられており、この押圧操作部１１６で軸部１１１と頭部１１２とが一体に連続している。また、図４に示すように、凹穴部１１３の開口周縁には、係合部材１４を係止する半月状の切欠き部１１７が形成されている。
【００２４】
固定部材１２は、全体略円筒状に形成されており、その長手方向には、ケース２の貫通孔２Ａに沿って内外方向に延びる挿通孔１２１が穿設されている。この挿通孔１２１にボタン部材１１の軸部１１１が外側から挿通され、ケース２内に突出した軸部１１１の先端に係止ピン１６が取り付けられている。この係止ピン１６は、例えばＥリングであって、固定部材１２のケース２側内端に当接することでボタン部材１１の抜け出しを防止できるようになっている。また、挿通孔１２１と軸部１１１との間には、防水用のシール材１７が設けられている。
【００２５】
さらに、固定部材１２は、貫通孔２Ａに挿入される挿入部１２２を有しており、この挿入部１２２を貫通孔２Ａに所定の押圧力で圧入することで、固定部材１２がケース２から容易に外れないようになっている。挿入部１２２の外側には、貫通孔２Ａの内径よりも軸径が大きく拡大された円盤状の固定部１２３が形成されている。この固定部１２３は、貫通孔２Ａの外縁部分にろう付け固定されており、このろう付け固定により固定部材１２が軸芯Ａ回りに回転不能にされるとともに、貫通孔２Ａと挿入部１２２との間への水等の浸入が防止されている。また、図５に示すように、固定部１２３の外側には、断面略多角柱（四角柱）状の案内部１２４が形成されており、この案内部１２４に沿って内外方向にボタン部材１１を案内できるようになっている。
【００２６】
リング部材１３は、ボタン部材１１の頭部１１２外周に沿って全体略円筒状に形成されている。このリング部材１３の内周面には、頭部１１２のねじ部１１５と螺合するねじ部１３１が形成されている。リング部材１３の内外方向ケース２側には、リング部材１３を回転操作してケース２から離れる方向に移動させた際に頭部１１２の当接面１１４に当接し、この当接位置を超えてリング部材１３が頭部１１２から外れないようにする被当接部１３２が形成されている。そして、この被当接部１３２が頭部１１２の当接面１１４に当接した状態が、ボタン部材１１を押圧操作可能な非ロック状態（非ロック位置）であり、図１に示すように、リング部材１３が、固定部材１２の固定部１２３外面に当接した状態がロック状態（ロック位置）である。また、リング部材１３の外周面には、回転操作時の滑り止めとしてのローレット１３３（図２、３）が形成されている。
【００２７】
係合部材１４は、図４に示すように、板材から全体略リング状に形成されており、その外周縁がボタン部材１１の凹穴部１１３に固定されている。係合部材１４には、固定部材１２の案内部１２４を挿通可能で、案内部１２４の断面形状と同一の略多角形（四角形）状の挿通孔１４１が穿設されている。すなわち、係合部材１４は、その挿通孔１４１と案内部１２４とが係合することで、軸芯Ａ回りの回転移動が規制され、この係合部材１４が固定されたボタン部材１１の回転移動を規制できるようになっている。また、係合部材１４の外周縁には、ボタン部材１１の切欠き部１１７に対応して、径方向外方に突出する２箇所の凸状部１４２が形成されている。そして、この凸状部１４２が切欠き部１１７に嵌め込まれて係止されることで、係合部材１４が凹穴部１１３に対して回転しないようになっている。
【００２８】
コイルばね１５は、ボタン部材１１の軸部１１１に挿通され、頭部１１２の凹穴部１１３底面に一端側が当接し、他端側が固定部材１２の案内部１２４外端面に当接して取り付けられている。このコイルばね１５は、所定の圧縮状態で取り付けられており、常時、ボタン部材１１をケース２から離れる方向に付勢している。さらに、ボタン部材１１の押圧操作により、コイルばね１５が圧縮されて、より大きな付勢力が生じ、押圧操作を解除すれば、付勢力によりボタン部材１１を初期位置に押し戻すことができるようになっている。
【００２９】
以上のような操作ボタン１０の製造方法について以下に説明する。
ボタン部材１１は、単一の素材から軸部１１１および頭部１１２が一体で製造されてもよく、また、軸部１１１および頭部１１２をそれぞれ別体で形成し、これらを連結、固定して製造されてもよい。すなわち、単一の素材から製造する場合には、頭部１１２と略同一の外径を有する円柱状の素材を用意し、旋盤等を用いた切削加工により、軸部１１１を形成した後、凹穴部１１３を切削形成する。また、それぞれ別体の部材から製造する場合には、頭部１１２用の素材に凹穴部１１３を切削形成した後、軸部１１１用の素材を凹穴部１１３中心に挿通し、底面に溶接等で固定する。
固定部材１２もボタン部材１１の場合と略同様に、挿入部１２２、固定部１２３、および案内部１２４を、単一の素材から切削加工や孔開け加工により製造されてもよく、また、それぞれ別体で形成したものを連結、固定して製造されてもよい。
係合部材１４は、プレス装置等を用いた打ち抜き加工により、挿通孔１４１および凸状部１４２を同時に形成できる型で板材を打ち抜いて製造される。
【００３０】
そして、ボタン部材１１組立手順として、先ず、固定部材１２の挿入部１２２を、ケース２の貫通孔２Ａに圧入し、固定部１２３と貫通孔２Ａの外縁部分とをろう付け固定する。そして、係合部材１４をボタン部材１１の凹穴部１１３開口周縁に、切欠き部１１７と凸状部１４２との位置を合わせて圧入し、凹穴部１１３の開口周縁を係合部材１４に向かってカシメて固定する。
次に、ボタン部材１１の頭部１１２に当接面１１４と被当接部１３２とが当接するまでリング部材１３を螺合し、コイルばね１５が挿通された軸部１１１を、固定部材１２の挿通孔１２１に挿通する。そして、コイルばね１５の付勢力に抗してボタン部材１１を押し込んで軸部１１１をケース２内に突出させ、この軸部１１１の先端に係止ピン１６を取り付ける。
以上の手順により、操作ボタン１０がケース２の貫通孔２Ａに取り付けられる。
【００３１】
以上の本実施形態によれば、次のような効果が得られる。
（１）  ボタン部材１１の頭部１１２に穿設された凹穴部１１３に係合部材１４を固定し、この係合部材１４がケース２に固定された固定部材１２の案内部１２４に対して、軸部１１１に沿った軸方向に移動可能で、かつ、軸部１１１回りの回転が規制されているので、押圧操作によりボタン部材１１が軸方向に進退動作できるとともに、リング部材１３を回転操作して、ロック位置および非ロック位置間を進退移動させる際に、ボタン部材１１の回転移動を規制でき、ロック操作を確実に実施できる。
【００３２】
（２）  ボタン部材１１の頭部１１２に複雑な加工を施さなくても、旋盤等を用いた比較的簡単な切削加工により凹穴部１１３を形成し、別部材として打ち抜き加工により製造した係合部材１４を取り付けるだけでよいので、製造が容易になり、加工手間が掛からないことから、製造コストを低減することができる。
【００３３】
（３）  ボタン部材１１の軸部１１１よりも径方向の寸法が大きい頭部１１２に固定した係合部材１４と、固定部材１２の案内部１２４とで、ボタン部材１１の回転移動を規制するようにしたので、リング部材１３の回転操作時における操作トルクに対する回転抵抗を、軸部１１１で係合する場合と比較して、より大きくすることができ、ボタン部材１１の回転規制をより確実に実施できる。
【００３４】
（４）  ボタン部材１１と係合部材１４とを別部材として構成したことで、ボタン部材１１に装飾性に優れた素材を用い、係合部材１４に強度、耐久性に優れた素材を用いるなど、適宜素材を使い分けることができ、より経済的に操作ボタン１０を製造することができる。
【００３５】
（５）  案内部１２４を固定部材１２に設けることで、ケース２に案内部を設ける場合と比較して、容易、かつ精度よく案内部１２４を形成することができる。また、固定部材１２をケース２に圧入することで、固定部材１２を確実に固定することができる。
【００３６】
（６）  多角柱状の案内部１２４を挿通可能な多角形状の挿通孔１４１が穿設された板材から係合部材１４を構成することで、プレス装置による打ち抜き加工等の比較的簡単な加工方法により係合部材１４を大量に製造することができ、さらに容易、かつ低コストで製造することができる。
【００３７】
（７）  ボタン部材１１の凹穴部１１３にカシメて、係合部材１４を固定することで、係合部材１４を確実に固定できるので、ボタン部材１１の押圧操作を繰り返し実施しても、係合部材１４が容易に外れることなく、耐久性の向上を図ることができる。
【００３８】
（８）  ボタン部材１１がコイルばね１５で付勢されていることにより、ボタン部材１１を押圧操作し、この押圧を解除した際に、ボタン部材１１が初期位置に即座に復帰するので、ボタン操作の操作性を向上させることができる。
【００３９】
（９）  コイルばね１５がボタン部材１１の凹穴部１１３と、固定部材１２との間に収容されていることにより、リング部材１３を回転操作してもコイルばね１５が伸縮変化せず、リング部材１３の回転操作に必要な力が変化しないので、操作性を向上させることができる。
【００４０】
（１０）  係合部材１４の凸状部１４２が凹穴部１１３の開口周縁に係止されることで、リング部材１３の回転操作時において、ボタン部材１１と案内部１２４との間に作用して、係合部材１４を回転させようとする操作トルクに対して、凸状部１４２が回転止めとして機能し、係合部材１４の回転抵抗を高めることができる。従って、リング部材１３を回転操作し、ロック位置または非ロック位置である螺合終端において、万一、リング部材１３を締め過ぎた場合でも、係合部材１４がボタン部材１１に対して滑ってしまうことがなく、ボタン部材１１の回転を規制するという機能を果たすことができる。
【００４１】
〔第２実施形態〕
次に、本発明の第２実施形態に係るボタン構造について、図６に基づいて説明する。
本実施形態のボタン構造は、前述の第１実施形態における操作ボタン１０と略同様の構成を備え、ボタン部材１１に係合部材１４が係止される部分の構成が相違するものである。以下、相違点について詳しく説明する。
【００４２】
図６（Ａ），（Ｂ）は、それぞれ操作ボタン１０を構成するボタン部材１１の側面図、および断面図であり、図６（Ｂ）は、図６（Ａ）に矢視線で示す断面図である。
図６において、ボタン部材１１の凹穴部１１３開口周縁には、径方向内方に突出し係合部材１４を係止する２箇所の係止片１１８が形成されている。これらの係止片１１８に対応した係合部材１４の外周縁には、径方向内方に向かって凹んだ２箇所の凹状部１４３が形成されている。そして、この凹状部１４３に係止片１１８が嵌め込まれることで、係合部材１４が凹穴部１１３に対して回転しないようになっている。操作ボタン１０の組立時においては、係止片１１８を軸部１１１に沿って開いた状態にしておき、係合部材１４を凹穴部１１３開口周縁に圧入した後に、凹穴部１１３の開口周縁および係止片１１８を係合部材１４に向かってカシメて、係合部材１４をボタン部材１１に固定する。
【００４３】
以上の本実施形態によれば、前記（１）〜（９）の効果と合わせて、次のような効果が得られる。
（１１）  係合部材１４の凹状部１４３が凹穴部１１３の係止片１１８に係止されることで、リング部材１３の回転操作時において、ボタン部材１１と案内部１２４との間に作用して、係合部材１４を回転させようとする操作トルクに対して、係止片１１８および凹状部１４３が回転止めとして機能し、係合部材１４の回転抵抗を高めることができる。従って、リング部材１３を回転操作し、ロック位置または非ロック位置である螺合終端において、万一、リング部材１３を締め過ぎた場合でも、係合部材１４がボタン部材１１に対して滑ってしまうことがなく、ボタン部材１１の回転を規制するという機能を果たすことができる。
【００４４】
なお、本発明を実施するための最良の構成、方法などは、以上の記載で開示されているが、本発明は、これに限定されるものではない。
すなわち、本発明は、主に特定の実施の形態に関して特に図示され、かつ、説明されているが、以上述べた実施の形態に対し、本発明の技術的思想および目的の範囲から逸脱することなく、形状、材質、数量、その他の詳細な構成において、当業者が様々な変形を加えることができる。
【００４５】
例えば、前述の各実施形態では、ボタン部材１１がコイルばね１５でケース２から突出する方向に付勢され、押圧操作される押しボタンとして操作ボタン１０を構成したが、これに限らず、引き出し操作可能に構成してもよい。この際、ボタン部材を引き出した状態では、係合部材と案内部との係合が外れるように構成すれば、ボタン部材を軸芯回りに回転操作することができ、例えば時刻合わせ等の所定の回転操作を実施可能になる。
【００４６】
また、前述の実施形態では、係合部材１４の挿通孔１４１を固定部材１２の略角柱状の案内部１２４に係合して、ボタン部材１１の回転移動を規制したが、これに限らず、案内部をスプライン軸状に形成し、これに対応した形状の挿通孔を係合部材に穿設してもよい。さらに、互いに対向する案内部の外面および係合部材の挿通孔の、一方にガイド溝を、他方に突起やガイドレール等を形成してもよい。
また、係合部材は、リング状の部材に限らず、ボタン部材の頭部に外側から挿入、固定され、凹穴部の内周面に先端を突出したピン等が採用可能であり、この際、ピンの先端を軸芯に沿って案内する案内溝等を案内部に設けることで、ボタン部材の軸芯回りの回転を規制することができる。
【００４７】
また、前述の各実施形態では、固定部材１２がケース２に固定され、この固定部材１２の案内部１２４に係合部材１４を係合したが、これに限らず、ケースの一部を外側に向かって突出させて、この突出部分に案内部を形成してもよい。
また、前述の各実施形態では、ボタン部材１１の凹穴部１１３と固定部材１２との間にコイルばね１５を設けたが、これに限らず、軸部と固定部材との間や、軸部とケースとの間等に弾性部材を設けてもよい。
【００４８】
【発明の効果】
以上に述べたように、本発明のボタン構造、およびこれを備えた携帯機器によれば、容易に製造することができ、かつ低コストで製造できるという効果がある。
【図面の簡単な説明】
【図１】本発明の第１実施形態に係るボタン構造を有する操作ボタンが設けられた腕時計の断面図である。
【図２】前記操作ボタンの分解斜視図である。
【図３】前記操作ボタンの分解斜視図である。
【図４】（Ａ），（Ｂ）は、操作ボタンを構成するボタン部材の側面図、および断面図である。
【図５】（Ａ），（Ｂ）は、操作ボタンを構成する固定部材の側面図、および断面図である。
【図６】（Ａ），（Ｂ）は、本発明の第２実施形態に係る操作ボタンを構成するボタン部材の側面図、および断面図である。
【符号の説明】
１…腕時計（携帯機器）、２…ケース（基体）、１０…操作ボタン、１１…ボタン部材、１２…固定部材、１３…リング部材、１４…係合部材、１５…コイルばね（弾性部材）、１１１…軸部、１１２…頭部、１１３…凹穴部、１１８…係止片、１２１…挿通孔、１２４…案内部、１４１…挿通孔、１４２…凸状部、１４３…凹状部。
【図１】
2004288526.tif 000003
【図２】
2004288526.tif 000004
【図３】
2004288526.tif 000005
【図４】
2004288526.tif 000006
【図５】
2004288526.tif 000007
【図６】
2004288526.tif 000008